(57)【特許請求の範囲】
【請求項１】
吸引風を発生させる掃除機本体と、
前記掃除機本体の上面に着脱自在に取り付けられ、前記吸引風に吸引された塵埃を収容する集塵器と、
前記掃除機本体に設けられ、前記集塵器が前記掃除機本体に取り付けられた際に、前記集塵器の下部に形成された被検知部を検知する検知器と、
前記検知器を上方から覆った状態で前記掃除機本体に設けられ、前記集塵器が前記掃除機本体に取り付けられた際に、前記掃除機本体の上面に沿った方向から前記被検知部が前記検知器に検知される位置まで挿入され得るように開口した検知器カバーと、
を備えたことを特徴とする電気掃除機。
【請求項２】
前記掃除機本体は、前記上面が傾斜面からなり、
前記検知器カバーは、前記集塵器が前記掃除機本体に取り付けられた際に、前記傾斜面の高い側から前記被検知部が挿入され得るように開口したことを特徴とする請求項１記載の電気掃除機。
【請求項３】
前記検知器と前記検知器カバーは、前記傾斜面の低い側に設けられたことを特徴とする請求項２記載の電気掃除機。
【請求項４】
前記掃除機本体は、前記上面が傾斜面からなり、
前記検知器カバーは、前記集塵器が前記掃除機本体に取り付けられた際に、前記傾斜面の低い側から前記被検知部が挿入され得るように開口したことを特徴とする請求項１記載の電気掃除機。
【請求項５】
前記掃除機本体は、前記検知器カバーの前記被検知部の挿入側とは反対側に受け部を備え、
前記集塵器は、一側に前記被検知部を備え、
前記検知器カバーは、前記掃除機本体に取り付けられた前記集塵器の前記一側とは反対側の他側が上方に引き上げられて、前記集塵器の前記一側の上部と前記受け部との接触部を支点として前記集塵器の前記他側が上方に回転して、前記被検知部が抜き出される際に、前記被検知部との接触を避けるように形成されたことを特徴とする請求項１〜請求項４のいずれかに記載の電気掃除機。
【請求項６】
前記集塵部の他側に設けられ、上方に引き上げることにより、前記他側と前記掃除機本体との係止を解除する解除手段、を備えたことを特徴とする請求項５記載の電気掃除機。
【請求項７】
前記検知器カバーの開口上部に形成された面取り、を備えたことを特徴とする請求項１〜請求項６のいずれかに記載の電気掃除機。
【請求項８】
前記検知器が前記集塵器を検知していない場合に、前記吸引風の発生を禁止する禁止手段、を備えたことを特徴とする請求項１〜請求項７のいずれかに記載の電気掃除機。
【請求項９】
前記掃除機本体の前記上面に設けられ、前記検知器が前記集塵器を検知していないことを表示する表示器と、
を備え、
前記集塵器は、当該集塵器が前記掃除機本体に取り付けられた際に前記表示器が発した光を透過することを特徴とする請求項１〜請求項８のいずれかに記載の電気掃除機。
【発明の詳細な説明】
【技術分野】
【０００１】
この発明は、電気掃除機に関するものである。
【背景技術】
【０００２】
従来の電気掃除機においては、掃除機本体の上面に、集塵器が着脱自在に取り付けられる。集塵器の下方では、掃除機本体の上面に検知器が設けられる。このような電気掃除機では、集塵器が上方から掃除機本体に取り付けられたときに、集塵器が検知器と接触する。この接触により、集塵器が検知される（例えば、特許文献１参照）。
【先行技術文献】
【特許文献】
【０００３】
【特許文献１】特開２００５−３３４４１３号公報
【０００４】
従来の電気掃除機においては、集塵器が掃除機本体から取り外されると、検知器が上方に露出する。このため、上方から落下する物体が検知器に接触する。この場合、集塵器が誤検知される。
【０００５】
これに対し、検知器の上方を覆えば、上方から落下する物体が検知器に接触することを防止できる。
【発明の概要】
【発明が解決しようとする課題】
【０００６】
しかしながら、検知器の上方を覆うと、掃除機本体の上方から集塵器を取り付けることが困難となる。
【０００７】
この発明は、上述のような課題を解決するためになされたもので、その目的は、上方から落下する物体が検知器に接触することを防止しつつ、掃除機本体に集塵器を容易に取り付けることができる電気掃除機を提供することである。
【課題を解決するための手段】
【０００８】
この発明に係る電気掃除機は、吸引風を発生させる掃除機本体と、前記掃除機本体の上面に着脱自在に取り付けられ、前記吸引風に吸引された塵埃を収容する集塵器と、前記掃除機本体に設けられ、前記集塵器が前記掃除機本体に取り付けられた際に、前記集塵器の下部に形成された被検知部を検知する検知器と、前記検知器を上方から覆った状態で前記掃除機本体に設けられ、前記集塵器が前記掃除機本体に取り付けられた際に、前記掃除機本体の上面に沿った方向から前記被検知部が前記検知器に検知される位置まで挿入され得るように開口した検知器カバーと、を備えたものである。
【発明の効果】
【０００９】
この発明によれば、上方から落下する物体が検知器に接触することを防止しつつ、掃除機本体に集塵器を容易に取り付けることができる。
【図面の簡単な説明】
【００１０】
【図１】この発明の実施の形態１における電気掃除機の斜視図である。
【図２】この発明の実施の形態１における電気掃除機の後部の縦断面図である。
【図３】この発明の実施の形態１における電気掃除機に利用される掃除機本体の平面図である。
【図４】この発明の実施の形態１における電気掃除機に利用される掃除機本体の前部の縦断面図である。
【図５】図４のＡ−Ａ線における断面図である。
【図６】この発明の実施の形態１における電気掃除機に利用される集塵器の前部の縦断面図である。
【図７】図６のＢ−Ｂ線における断面図である。
【図８】この発明の実施の形態１における電気掃除機の前部の縦断面図である。
【図９】図８のＣ−Ｃ線における断面図である。
【図１０】この発明の実施の形態１における電気掃除機の掃除機本体から集塵器を取り外す方法を説明するための概念図である。
【図１１】この発明の実施の形態１における電気掃除機の検知器カバーに形成された傾斜面を説明するための概念図である。
【図１２】この発明の実施の形態１における電気掃除機の検知器カバーに形成された曲面を説明するための概念図である。
【図１３】この発明の実施の形態２における電気掃除機の概念図である。
【図１４】この発明の実施の形態３における電気掃除機の概念図である。
【図１５】この発明の実施の形態４における電気掃除機の概念図である。
【図１６】この発明の実施の形態５における電気掃除機の概念図である。
【図１７】この発明の実施の形態６における電気掃除機の概念図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における電気掃除機の斜視図である。
図１には、サイクロン式の電気掃除機が示される。図１において、１は掃除機本体である。掃除機本体１内には、吸引風発生手段（図示せず）が配置される。掃除機本体１後部には、電源コード２が設けられる。掃除機本体１前部には、ホースユニット３が接続される。掃除機本体１の上面には、集塵器４が着脱自在に取り付けられる。
【００１３】
上記電気掃除機においては、電源コード２を介して掃除機本体１に電力が供給される。この電力を利用して、吸引風発生手段が吸引風を発生させる。この吸引風により、ホースユニット３先端から、空気と塵埃とが吸引される。吸引された空気と塵埃とは、掃除機本体１を経由して集塵器４内に流入する。集塵器４内では、空気と塵埃とが旋回する。
【００１４】
この旋回により、塵埃には、遠心力がかかる。この遠心力により、空気と塵埃とは分離する。この分離により、塵埃は、集塵器４内に収容される。一方、空気は、集塵器４から吸引風発生手段に吸引される。吸引された空気は、掃除機本体１の外に排出される。
【００１５】
次に、図２を用いて、集塵器４の掃除機本体１への係止部を説明する。
図２はこの発明の実施の形態１における電気掃除機の後部の縦断面図である。図２の左側が電気掃除機の前部側である。
【００１６】
図２には、電気掃除機の後部中央の縦断面が示される。図２に示すように、集塵器４後部には、側板５が設けられる。側板５の下方には、ねじ取付部５ａが形成される。側板５の集塵器４後部側には、係止部カバー６が配置される。係止部カバー６の集塵器４後部側面には、孔６ａが形成される。係止部カバー６の下方には、凹部６ｂが形成される。凹部６ｂには、ねじ（図示せず）が挿入される。ねじは、側板５のねじ取付部５ａにねじ込まれる。
【００１７】
係止部カバー６内には、係止手段７が設けられる。係止手段７の中央部７ａは、係止部カバー６の両側面に軸支される。係止手段７の下部７ｂは、側板５のねじ取付部５ａに貫通される。係止手段７の下端には、突出部７ｃが形成される。突出部７ｃは、集塵器４後部側に突出する。突出部７ｃの上面は、掃除機本体１の被係止部１ａの下面に係止する。係止手段７の上部７ｄには、傾斜面７ｅが形成される。傾斜面７ｅは、係止手段７の上部７ｄの集塵器４前部側で、上方に行くにつれて、集塵器４前部側に傾斜する。
【００１８】
係止部カバー６内では、係止手段７の上方に、解除手段８が設けられる。解除手段８の下部８ａには、傾斜面８ｂが形成される。傾斜面８ｂは、解除手段８の下部８ａの集塵器４後部側で、係止手段７の傾斜面７ｅに対向する。すなわち、傾斜面８ｂも、上方に行くにつれて、集塵器４前部側に傾斜する。解錠手段の上部８ｃは、中空状に形成される。解除手段８の上端は開口する。解除手段８の上部８ｃには、操作レバー８ｄが形成される。操作レバー８ｄは、解除手段８の上部８ｃの集塵器４後方側から、孔６ａの下部を貫通して、斜め上方に突出する。
【００１９】
係止手段７の下部７ｂの集塵器４前部側では、側板５のねじ取付部５ａに係止用ばね（図示せず）が貫通される。係止用ばねは、係止手段７の下部７ｂを集塵器４後部側へ斜め上方に付勢する。解除手段８の上部８ｃ内には、解除用ばね（図示せず）が収納される。解除用ばねの下部は、解除手段８の上部８ｃ内の底面に接触する。解除用ばねの上部は、係止部カバー６内の天井面６ｃに接触する。解除用ばねは、解除手段８を係止手段７側へ斜め下方に付勢する。
【００２０】
集塵器４の掃除機本体１への係止の解除は、次のように行われる。まず、解除用ばねの付勢力に抗しながら、操作レバー８ｄが集塵器４前部側へ斜め上方に引き上げられる。この引き上げにより、解除手段８が集塵器４前部側へ斜め上方に移動する。この移動により、解除手段８の下部８ａも集塵器４前部側へ斜め上方に移動する。この移動により、解除手段８の傾斜面８ｂの下縁部も集塵器４前部側へ斜め上方に移動する。
【００２１】
この移動により、解除手段８の傾斜面８ｂの下縁部が係止手段７の傾斜面７ｅを集塵器４後部側へ押し出す。この押し出しにより、係止手段７の上部７ｄが、中央部７ａを支点として、係止用ばねの付勢力に抗しながら、集塵器４後部側へ回転する。この回転により、係止手段７の下部７ｂが集塵器４前部側へ回転する。この回転により、係止手段７の突出部７ｃが集塵器４前部側へ移動する。この移動により、係止手段７の突出部７ｃが掃除機本体１の被係止部１ａとの係止を解除する。
【００２２】
次に、図３〜図５を用いて、掃除機本体１を説明する。
まず、図３を用いて、掃除機本体１の上面を説明する。
図３はこの発明の実施の形態１における電気掃除機に利用される掃除機本体の平面図である。図３の左側が掃除機本体１の前部側である。
【００２３】
図３に示すように、掃除機本体１の上面には、集塵器４を載置するための載置面１ｂが形成される。載置面１ｂは、掃除機本体１前部側が低くなるように傾斜する。載置面１ｂの中央には、溝１ｃが形成される。溝１ｃは、掃除機本体１の前後方向を長手方向とする。載置面１ｂの掃除機本体１前部側には、受け部１ｄが形成される。受け部１ｄは、載置面１ｂと直交する。
【００２４】
受け部１ｄの下方では、掃除機本体１の中央に検知器（図３においては図示せず）が設けられる。検知器は、集塵器４が掃除機本体１に取り付けられたことを検知するためのものである。この検知結果は、掃除機本体１内の禁止手段（図示せず）に入力される。検知器が集塵器４を検知していない場合、禁止手段は、吸引風発生手段による吸引風の発生を禁止する。
【００２５】
溝１ｃの両側には、表示器９が設けられる。表示器９は、掃除機本体１の前後方向を長手方向とする。表示器９は、検知器による集塵器４の検知結果に基づいて、表示を変化させる。具体的には、検知器が集塵器４を検知しているとき、表示器９は表示光を発することを停止する。これに対し、検知器が集塵器４を検知していないとき、表示器９は表示光を発する。
【００２６】
本実施の形態の掃除機本体１には、検知器を上方から覆うように、検知器カバー１ｅが形成される。検知器カバー１ｅは、受け部１ｄの下部中央から掃除機本体１後部側に突出する。検知器カバー１ｅの下方は、掃除機本体１の後方側に開口する。
【００２７】
次に、図４を用いて、検知器と検知器カバー１ｅとを説明する。
図４はこの発明の実施の形態１における電気掃除機に利用される掃除機本体の前部の縦断面図である。図４の左側が掃除機本体１の前部側である。
まず、検知器１０を具体的に説明する。検知器１０は、検知器ケース１１、検知レバー１２、検知器用ばね１３、検知スイッチ（図示せず）からなる。
【００２８】
検知器ケース１１は、受け部１ｄの下方で掃除機本体１に固定される。検知器ケース１１の上面には、孔１１ａが形成される。検知器ケース１１内には、検知レバー１２が掃除機本体１の前後方向へ移動自在に設けられる。
【００２９】
検知レバー１２上面には、突出部１２ａが形成される。突出部１２ａは、孔１１ａの掃除機本体１後部側から、掃除機本体１前部側へ斜め上方に突出する。突出部１２ａの下方では、検知レバー１２の掃除機本体１後部側内面に、ばね支持部１２ｂが形成される。
【００３０】
ばね支持部１２ｂの外周には、検知器用ばね１３の一端の内側が嵌め込まれる。検知器用ばね１３の他端は、掃除機本体１のばね受け部１ｆに接触する。検知器用ばね１３は、検知レバー１２を掃除機本体１後部側へ斜め上方に付勢する。
【００３１】
検知レバー１２の掃除機本体１前部側かつ検知器カバー１ｅの下方には、検知スイッチが設けられる。検知スイッチは、検知器カバー１ｅに上方から完全に覆われる。検知スイッチは、検知レバー１２によって掃除機本体１前部側へ斜め下方に押し込まれた場合に、集塵器４が掃除機本体１に取り付けられたことを検知する。
【００３２】
次に、検知器カバー１ｅを具体的に説明する。
検知器カバー１ｅには、第１傾斜面１ｇ、曲面１ｈ、第２傾斜面１ｉが形成される。第１傾斜面１ｇは、受け部１ｄの下部中央から、掃除機本体１後部側へ行くにつれて下方に傾斜する。曲面１ｈは、第１傾斜面１ｇの下縁部から、掃除機本体１後部側へ行くにつれて下方に傾斜する。第２傾斜面１ｉは、曲面１ｈの下縁部から、掃除機本体１後部側へ行くにつれて、第１傾斜面１ｇよりも急激に下方に傾斜する。第２傾斜面１ｉの下縁部は、検知レバー１２の上縁部の直上に配置される。
【００３３】
次に、図５を用いて、検知器１０と検知器カバー１ｅの位置関係を説明する。
図５は図４のＡ−Ａ線における断面図である。
図５に示すように、検知レバー１２の突出部１２ａは、検知器カバー１ｅの直下に配置される。また、検知レバー１２の突出部１２ａの幅は、検知器カバー１ｅの幅よりも狭い。したがって、検知レバー１２の突出部１２ａは、検知器カバー１ｅに上方から覆われる。
【００３４】
このような掃除機本体１においては、集塵器４が取り外されているときに、検知器１０の真上から物体が落下することもある。この場合、物体は、検知器カバー１ｅに接触する。すなわち、物体は、検知器カバー１ｅよりも検知器１０側へ下方に移動することを阻止される。このため、物体が検知レバー１２の上縁部に接触することはない。
【００３５】
また、水平投影面上で、検知器カバー１ｅの側縁部外側の位置から物体が落下することもある。この場合、物体は、検知器カバー１ｅの側方を通過する。その後、物体は、検知レバー１２の側方を通過する。このため、物体が検知レバー１２の側縁部に接触することはない。
【００３６】
このように、検知器１０の上方から落下した物体は、検知レバー１２に接触することはない。すなわち、物体が検知レバー１２を掃除機本体１前部側へ押し込むこともない。このため、検知スイッチが押し込まれることもない。すなわち、検知器１０の上方から落下した物体により、集塵器４が誤検知されることはない。
【００３７】
次に、図６と図７とを用いて、集塵器４を説明する。
図６はこの発明の実施の形態１における電気掃除機に利用される集塵器の前部の縦断面図である。図６の左側が集塵器４の前部側である。図７は図６のＢ−Ｂ線における断面図である。
【００３８】
集塵器４は、表示器９が発する表示光を透過する材料で形成される。集塵器４の下面には、把持部１４が取り付けられる。把持部１４よりも前方では、集塵器４の下縁部に、収納部４ａが形成される。収納部４ａは、集塵器４が掃除機本体１に取り付けられる際に、掃除機本体１の検知器カバー１ｅを収納するように形成される。
【００３９】
具体的には、図７に示すように、収納部４ａは、一対の側部４ｂと被検知部４ｃを備える。一対の側部４ｂは、集塵器４の下面に形成される。被検知部４ｃは、一対の側部４ｂの下縁部を連結する。
【００４０】
次に、図８と図９とを用いて、集塵器４を掃除機本体１に取り付ける方法を説明する。
図８はこの発明の実施の形態１における電気掃除機の前部の縦断面図である。図８の左側が電気掃除機の前部側である。図９は図８のＣ−Ｃ線における断面図である。
【００４１】
まず、集塵器４が掃除機本体１の載置面１ｂ全体を覆うように下方に移動される。この移動により、集塵器４の把持部１４が掃除機本体１の溝１ｃに案内される。この案内により、集塵器４は、掃除機本体１の幅方向の移動が抑制されるとともに、水平投影面上での回転が抑制される。
【００４２】
この状態から、集塵器４がさらに下方に移動される。この移動により、集塵器４の被検知部４ｃ端部が第１傾斜面１ｇに接触する。この状態から、集塵器４がさらに下方に移動される。この移動により、集塵器４の被検知部４ｃ端部が、第１傾斜面１ｇ、曲面１ｈ、第２傾斜面１ｉに沿って、掃除機本体１後部側へ移動する。
【００４３】
このとき、集塵器４の被検知部４ｃ端部の移動に影響を受けて、集塵器４の前方上部が掃除機本体１前部側へ移動する。この移動により、集塵器４の前方上部が掃除機本体１の受け部１ｄに接触する。この接触により、集塵器４の前方上部は、掃除機本体１前部側への移動を抑制される。
【００４４】
その後、集塵器４の被検知部４ｃ端部が検知レバー１２の突出部１２ａと接触する。この状態から、集塵器４が、載置面１ｂに沿って掃除機本体１前部側へ斜め下方に移動される。この移動により、集塵器４の被検知部４ｃが、検知器カバー１ｅの下方に、掃除機本体１後部側から前部側へ挿入される。この挿入により、検知レバー１２の突出部１２ａが、検知器用ばね１３の付勢力に抗しながら、掃除機本体１前部側へ斜め下方に押し込まれる。
【００４５】
このとき、図９に示すように、集塵器４の収納部４ａ内には、検知器カバー１ｅが収納される。この収納により、集塵器４の収納部４ａは、掃除機本体１の幅方向の移動が抑制される。
【００４６】
ここで、図２を再び用いて、この状態からの集塵器４の掃除機本体１への係止部の動作を説明する。
上記状態から、集塵器４の収納部４ａ（図２においては図示せず）の上縁部を支点として、集塵器４後部が下方へ回転される。この回転により、係止手段７の突出部７ｃが掃除機本体１の被係止部１ａに接触する。
【００４７】
この状態から、集塵器４の収納部４ａの上縁部を支点として、集塵器４後部がさらに下方へ回転される。この回転により、係止手段７の突出部７ｃが掃除機本体１の被係止部１ａに乗り上げる。この乗り上げにより、係止手段７の下部７ｂが、中央部７ａを支点として、係止用ばねの付勢力に抗しながら、掃除機本体１前部側へ回転する。
【００４８】
この状態から、集塵器４の収納部４ａの上縁部を支点として、集塵器４の後部がさらに下方へ回転される。この回転により、係止手段７の突出部７ｃが掃除機本体１の被係止部１ａよりも下方に移動する。この移動により、係止手段７の突出部７ｃが掃除機本体１の被係止部１ａへの乗り上げを解除する。
【００４９】
この解除により、係止手段７の下部７ｂが、中央部７ａを支点として、係止用ばねの付勢力により、掃除機本体１後部側へ回転する。この回転により、係止手段７の突出部７ｃが被係止部１ａ下方へ移動する。この移動により、係止手段７の突出部７ｃの上面が掃除機本体１の被係止部１ａの下面に係止する。この係止により、集塵器４の掃除機本体１への取り付けが完了する。
【００５０】
次に、図８を再び用いて、集塵器４の掃除機本体１への取り付けが完了したときの検知器１０の動作を説明する。
このとき、集塵器４の被検知部４ｃが検知レバー１２の突出部１２ａをさらに掃除機本体１前部側へ斜め下方に押し込む。その結果、検知レバー１２が検知スイッチを押し込む。この押し込みにより、検知スイッチが集塵器４を検知する。
【００５１】
次に、図１０を用いて、掃除機本体１から集塵器４を取り外す方法を説明する。
図１０はこの発明の実施の形態１における電気掃除機の掃除機本体から集塵器を取り外す方法を説明するための概念図である。
【００５２】
図２で説明したように、集塵器４の掃除機本体１への係止は、操作レバー８ｄを引き上げることにより解除される。掃除機本体１から集塵器４を取り外す場合、この状態から、操作レバー８ｄをさらに引き上げればよい。
【００５３】
この引き上げにより、集塵器４後部が引き上げられる。この引き上げにより、集塵器４後部は、収納部４ａ（図１０においては図示せず）の上縁部を支点として、掃除機本体１前部側へ斜め上方に回転する。この回転により、集塵器４の前方上部が掃除機本体１前部側へ回転する。この回転により、集塵器４の前方上部が掃除機本体１の受け部１ｄに接触する。
【００５４】
この状態で、集塵器４後部が引き上げられる。この引上げにより、集塵器４後部が、被検知部４ｃの前方上部と掃除機本体１の受け部１ｄとの接触部を支点として、上方回転する。このとき、集塵器４の被検知部４ｃは、検知器カバー１ｅと接触せずに掃除機本体１後部側へ抜き出される。この状態から、操作レバー８ｄをさらに引き上げれば、集塵器４は、掃除機本体１から取り外される。
【００５５】
以上で説明した実施の形態１によれば、検知器カバー１ｅは、検知器１０の検知レバー１２を上方から覆う。さらに、検知器カバー１ｅの下方は、集塵器４の被検知部４ｃが掃除機本体１後部側から前部側へ挿入され得るように開口する。このため、上方から落下する物体が検知器１０に接触することを防止しつつ、掃除機本体１に集塵器４を容易に取り付けることができる。すなわち、集塵器４の被検知部４ｃを可動式にする等、集塵器４の着脱動作を複雑にする必要がない。さらに、電気掃除機の使用者による検知レバー１２の誤操作を防止することにもなる。
【００５６】
また、検知器カバー１ｅ下方には、掃除機本体１の載置面１ｂの高い側から、集塵器４の被検知部４ｃが挿入される。このため、集塵器４を掃除機本体１に取り付ける際、集塵器４の移動に、集塵器４の自重を利用することができる。
【００５７】
また、検知器１０と検知器カバー１ｅとは、掃除機本体１の載置面１ｂの低い側に設けられる。このため、電気掃除機の使用者による検知レバー１２の誤操作をより確実に防止できる。
【００５８】
また、集塵器４の被検知部４ｃは、検知器カバー１ｅと接触せずに抜き出される。このため、集塵器４の被検知部４ｃと検知器カバー１ｅとの耐久性を向上することができる。
【００５９】
また、操作レバー８ｄを上方に引き上げれば、集塵器４と掃除機本体１との係止が解除される。この状態で、集塵器４後部を上方に回転すれば、集塵器４の被検知部４ｃが検知器カバー１ｅから抜き出される。このため、ワンアクションで、集塵器４を掃除機本体１から取り外すことができる。
【００６０】
また、集塵器４を掃除機本体１から取り外す際の動作の逆の動作でも、集塵器４を掃除機本体１に取り付けることができる。このため、ワンアクションで、集塵器４を掃除機本体１に取り付けることができる。
【００６１】
なお、検知器１０、検知器カバー１ｅ、集塵器４の被検知部４ｃや操作レバー８ｄの配置を実施の形態１の配置に限定する必要はない。すなわち、集塵器４の一側に被検知部４ｃを設けるとともに、集塵器４の一側とは反対側の他側に操作レバー８ｄを設けてもよい。この場合も、検知器１０と検知器カバー１ｅを集塵器４の被検知部４ｃに対応させて配置されば、上方から落下する物体が検知器１０に接触することを防止しつつ、掃除機本体１に集塵器４を容易に取り付けることができる。
【００６２】
また、検知レバー１２が掃除機本体１後部側へ付勢された状態で集塵器４の被検知部４ｃと接触することにより、集塵器４が検知される。このため、検知レバー１２が集塵器４の被検知部４ｃと接触する際に、掃除機本体の前後方向の寸法誤差を吸収することができる。これにより、集塵器４の掃除機本体１への着脱状態を確実に検知することができる。
【００６３】
また、検知器カバー１ｅには、第１傾斜面１ｇ、曲面１ｈ、第２傾斜面１ｉが形成される。第１傾斜面１ｇ、曲面１ｈ、第２傾斜面１ｉは、集塵器４を上方から移動させた場合に、検知レバー１２との接触位置まで集塵器４の被検知部４ｃを案内する。このため、集塵器４の被検知部４ｃを容易に検知器カバー１ｅ内に挿入することができる。以下、図１１と図１２とを用いて、検知レバー１２との接触位置まで集塵器４の被検知部４ｃを案内する方法を説明する。
【００６４】
図１１はこの発明の実施の形態１における電気掃除機の検知器カバーに形成された傾斜面を説明するための概念図である。
図１１において、１５は傾斜面である。傾斜面１５は、集塵器４の被検知部４ｃの挿入側で、検知器カバー１ｅの上縁部に形成される。集塵器４を上方から移動させると、集塵器４の被検知部４ｃ端部が傾斜面１５と接触する。この状態で、集塵器４をさらに下方へ移動させようとすると、集塵器４の被検知部４ｃ端部が、傾斜面１５に沿って、掃除機本体１後部側に移動する。この移動により、集塵器４の被検知部４ｃ端部が傾斜面１５の下端部から解放される。この解放により、集塵器４の被検知部４ｃ端部が検知レバー１２との接触位置まで案内される。
【００６５】
図１２はこの発明の実施の形態１における電気掃除機の検知器カバーに形成された曲面を説明するための概念図である。
図１２において、１６は曲面である。曲面１６は、集塵器４の被検知部４ｃの挿入側で、検知器カバー１ｅの上縁部に形成される。具体的には、曲面１６は、集塵器４の被検知部４ｃの挿入側に凸状となるように形成される。曲面１６は、傾斜面１５と同様に、検知レバー１２との接触位置まで集塵器４の被検知部４ｃ端部を案内する。
【００６６】
したがって、本実施の形態においては、集塵器４を上方から移動させると、集塵器４の被検知部４ｃ端部が第１傾斜面１ｇと接触する。この状態で、集塵器４をさらに下方へ移動させようとすると、集塵器４の被検知部４ｃ端部が、第１傾斜面１ｇに沿って、曲面１ｈまで移動する。この状態で、集塵器４をさらに下方へ移動させようとすると、集塵器４の被検知部４ｃ端部が、曲面１ｈに沿って、第２傾斜面１ｉまで移動する。この状態で、集塵器４をさらに下方へ移動させると、集塵器４の被検知部４ｃ端部が、第２傾斜面１ｉの下端部から解放される。この解放により、集塵器４の被検知部４ｃ端部が検知レバー１２との接触位置まで案内される。
【００６７】
このように、検知器カバー１ｅの上部に、集塵器４の被検知部４ｃの挿入側に行くにつれて下がる傾斜面１５や曲面１６等の面取りを形成すれば、集塵器４の被検知部４ｃを容易に検知器カバー１ｅ内に挿入することができる。なお、傾斜面１５や曲面１６は、以下の実施の形態においても適用できる。
【００６８】
また、検知器１０が集塵器４を検知していない場合、吸引風は発生しない。このため、集塵器４が掃除機本体１に取り付けられていない状態で塵埃を吸引することを防止できる。
【００６９】
また、表示器９は、掃除機本体１の載置面１ｂに配置される。この載置面１ｂは、掃除機本体１前部側が低くなっている。そして、掃除機本体１前部に、ホースユニット３が接続される。このため、ホースユニット３を操作している電気掃除機の使用者は、表示器９の表示を容易に見ることができる。
【００７０】
また、集塵器４は、表示器９が発する表示光を透過させる材料で形成される。このため、集塵器４が掃除機本体１の載置面１ｂに配置されているものの検知器１０が集塵器４を検出していない場合、電気掃除機の使用者は、表示器９が表示光を発していることを確認できる。これにより、集塵器４が掃除機本体１に正しく取り付けられていないことを認識することができる。なお、表示光を透過させる材料で形成する部分は、表示器９の上方に位置する部分だけでもよい。この場合も、電気掃除機の使用者は、表示器９が表示光を発していることを確認できる。
【００７１】
実施の形態２．
図１３はこの発明の実施の形態２における電気掃除機の概念図である。なお、実施の形態１と同一又は相当部分には同一符号を付して説明を省略する。
【００７２】
実施の形態１においては、集塵器４の掃除機本体１への着脱は、集塵器４を回転させて行っていた。一方、実施の形態２においては、集塵器４の掃除機本体１への着脱は、集塵器４を掃除機本体１の上面に沿って斜め下方に平行移動させて行う。なお、集塵器４の掃除機本体１への係止方法に限定はない。
【００７３】
以上で説明した実施の形態２によれば、集塵器４の掃除機本体１への着脱をより容易に行うことができる。
【００７４】
実施の形態３．
図１４はこの発明の実施の形態３における電気掃除機の概念図である。なお、実施の形態２と同一又は相当部分には同一符号を付して説明を省略する。
【００７５】
実施の形態２の検知器１０においては、検知レバー１２が集塵器４の被検知部４ｃと接触することにより、集塵器４が検知されていた。一方、実施の形態３の検知器１７においては、集塵器４の被検知部４ｃと接触せずに、集塵器４が検知される。
【００７６】
本実施の形態においては、検知器１７は光センサからなる。検知器１７は、集塵器４の被検知部４ｃとの間に隙間を空けて配置される。検知器１７は、検知光を発する。検知光は、集塵器４の被検知部４ｃによって反射する。反射した検知光は、検知器１７に検出される。この検出により、集塵器４が検知される。
【００７７】
以上で説明した実施の形態３によれば、上方から落下する物体が検知器１０に接触することがない。このため、検知器１７が汚れることを防止できる。これにより、汚れによる検知光の乱反射を防止できる。すなわち、検知器１７は、光センサとして、確実に動作することができる。
【００７８】
また、検知器１７は、集塵器４の被検知部４ｃと接触せずに、集塵器４を検知する。このため、集塵器４の掃除機本体１への着脱回数が増えても、検知器１７が磨耗することがない。これにより、検知器１７の耐久性を向上することができる。
【００７９】
実施の形態４．
図１５はこの発明の実施の形態４における電気掃除機の概念図である。なお、実施の形態３と同一又は相当部分には同一符号を付して説明を省略する。
【００８０】
実施の形態３の検知器１７と検知器カバー１ｅとは、掃除機本体１前部側に設けられていた。一方、実施の形態４の検知器１７と検知器カバー１ｅとは、掃除機本体１の中央に設けられる。すなわち、検知器１７と検知器カバー１ｅとは、集塵器４に上方から覆われる。
【００８１】
この場合、集塵器４の下面中央に、被検知部１８が形成される。被検知部１８は、検知器カバー１ｅとの接触を避けるように形成される。具体的には、被検知部１８は、基部１８ａと突出部１８ｂとからなる。基部１８ａは、集塵器４の下面中央から、掃除機本体１後部側へ斜め下方に突出する。突出部１８ｂは、基部１８ａの下端から、掃除機本体１前部側へ斜め下方に突出する。突出部１８ｂは、検知器カバー１ｅの下方に挿入される。
【００８２】
以上で説明した実施の形態４によれば、検知器１７と検知器カバー１ｅとは、集塵器４に上方から覆われる。すなわち、水平投影面上で、検知器１７と検知器カバー１ｅとが集塵器４の外側に配置されることはない。このため、電気掃除機の水平投影面上の寸法を小さくすることができる。
【００８３】
実施の形態５．
図１６はこの発明の実施の形態５における電気掃除機の概念図である。なお、実施の形態３と同一又は相当部分には同一符号を付して説明を省略する。
【００８４】
実施の形態３においては、掃除機本体１の上面の低い側に、検知器１７が設けられていた。一方、実施の形態５においては、掃除機本体１の上面の高い側に、検知器１７が設けられる。この場合、掃除機本体１の上面の低い側から、集塵器４の被検知部４ｃが検知器カバー１ｅ下方に挿入される。
【００８５】
以上で説明した実施の形態５によれば、検知器１７の斜め下方からしか、集塵器４の被検知部４ｃを検知器カバー１ｅ内に挿入することができない。このため、電気掃除機の使用者による検知器１７の誤操作をより確実に防止できる。
【００８６】
実施の形態６．
図１７はこの発明の実施の形態６における電気掃除機の概念図である。なお、実施の形態４と同一又は相当部分には同一符号を付して説明を省略する。
【００８７】
実施の形態４においては、掃除機本体１の上面は傾斜面であった。一方、実施の形態６においては、掃除機本体１の載置面１ｂは水平面である。この載置面１ｂの掃除機本体１後部側には、掃除機本体１に壁１ｊが形成される。
【００８８】
この場合、集塵器４の掃除機本体１への取り付けは、次のように行われる。まず、掃除機本体１の上方から、集塵器４が壁１ｊに沿った状態で移動される。その後、集塵器４が掃除機本体１前部側に移動される。この移動により、集塵器４の被検知部１８が検知器１７に検知される位置まで検知器カバー１ｅ下方に挿入される。
【００８９】
以上で説明した実施の形態６によれば、掃除機本体１の上方から鉛直方向に集塵器４を取り付ける場合でも、上方から落下する物体が検知器１７に接触することを防止しつつ、掃除機本体１に集塵器４を容易に取り付けることができる。
【００９０】
なお、実施の形態１〜６で説明した検知器カバー１ｅの適用を、サイクロン式の電気掃除機に限定する必要はない。例えば、紙パックで塵埃を収容する集塵器４を利用した電気掃除機に、検知器カバー１ｅを適用してもよい。この場合でも、上方から落下する物体が検知器１０に接触することを防止しつつ、掃除機本体１に集塵器４を容易に取り付けることができる。
【符号の説明】
【００９１】
１  掃除機本体、  １ａ  被係止部、  １ｂ  載置面、  １ｃ  溝、  １ｄ  受け部、
１ｅ  検知器カバー、  １ｆ  ばね受け部、  １ｇ  第１傾斜面、  １ｈ  曲面、
１ｉ  第２傾斜面、  １ｊ  壁、  ２  電源コード、  ３  ホースユニット、
４  集塵器、  ４ａ  収納部、  ４ｂ  側部、  ４ｃ  被検知部、  ５  側板
５ａ  ねじ取付部、  ６  係止部カバー、  ６ａ  孔、  ６ｂ  凹部、  
６ｃ  天井面、  ７  係止手段、  ７ａ  中央部、  ７ｂ  下部、  ７ｃ  突出部、
７ｄ  上部、  ７ｅ  傾斜面、  ８  解除手段、  ８ａ  下部、  ８ｂ  傾斜面、
８ｃ  上部、  ８ｄ  操作レバー、  ９  表示器、  １０  検知器、
１１  検知器ケース、  １１ａ  孔、  １２  検知レバー、  １２ａ  突出部、
１２ｂ  ばね支持部、  １３  検知器用ばね、  １４  把持部、  １５  傾斜面、
１６  曲面、  １７  検知器、  １８  被検知部、  １８ａ  基部、  １８ｂ  突出部
【図１】
0005136606.tif 000002
【図２】
0005136606.tif 000003
【図３】
0005136606.tif 000004
【図４】
0005136606.tif 000005
【図５】
0005136606.tif 000006
【図６】
0005136606.tif 000007
【図７】
0005136606.tif 000008
【図８】
0005136606.tif 000009
【図９】
0005136606.tif 000010
【図１０】
0005136606.tif 000011
【図１１】
0005136606.tif 000012
【図１２】
0005136606.tif 000013
【図１３】
0005136606.tif 000014
【図１４】
0005136606.tif 000015
【図１５】
0005136606.tif 000016
【図１６】
0005136606.tif 000017
【図１７】
0005136606.tif 000018